(57)【要約】【課題】光学式観察装置で観察対象物を観察する際に、目的とする観察対象位置に光学式観察装置の視野をあわせる作業を容易、かつ、迅速に実行できるように補助を行う観察補助部材を提供することを課題とする。【解決手段】本発明にかかる観察補助部材は、円形開口部と、粘着面と、前記円形開口部を中心とする同心円状の凹凸が形成された形状パターン面とを備え、前記凹凸の間隔は前記開口部の中心から遠ざかるほどに狭まることにより、光学式観察装置の位置決めを容易にすることができる。【選択図】図１
2015203579.tif 000002
【特許請求の範囲】
【請求項１】
開口部と、
前記開口部を中心とする同心円状の凹凸が形成された形状パターン面と、
前記形状パターン面の裏面に位置する粘着面と、を備え、
前記凹凸の間隔は前記開口部の中心から遠ざかるほどに狭まる、観察補助部材。
【請求項２】
前記凹凸は、エッジ部と傾斜部とを含み、前記傾斜部の幅が前記開口部の中心から遠ざかるほどに狭まる、請求項１の観察補助部材。
【請求項３】
前記開口部が円形であり、
前記エッジ部の半径が式（１）で表される、請求項２の観察補助部材。
【数１】
2015203579.tif 000005
ただし、Ｒ0：開口部の半径
Ｒi：開口部から数えてｉ番目のエッジ部の半径
Ｒi-1：開口部から数えてｉ−１番目のエッジ部の半径
【請求項４】
前記傾斜部の断面形状が直線である、請求項２または３の観察補助部材。
【請求項５】
前記傾斜部の断面形状が曲線である、請求項２または３の観察補助部材。
【請求項６】
前記形状パターン面は、赤外光に対して不透明な部材で構成される請求項１〜５のいずれかの観察補助部材。
【請求項７】
請求項１〜６のいずれかの観察補助部材と光干渉計とを用いて観察を行う観察方法。
【発明の詳細な説明】
【技術分野】
【０００１】
本発明は、観察補助部材および観察方法に関するものである。
【背景技術】
【０００２】
図１０は、特許文献１に記載された従来の観察補助部材である目印シート１００を示す図である。目印シート１００は、開口１０１と粘着面１０２を有する。図１１に示すように観察対象物である毛１０３のみが開口１０１から出るように被観察体の皮膚１０４に目印シート１００が貼り付けられる。この毛１０３を光学式観察装置で観察する。
【０００３】
以下に、目印シート１００を使用して観察対象物を観察する方法を説明する。
【０００４】
まず、観察に使用する光学式観察装置であるＯＣＴ装置２００について図１２を用いて説明する。ＯＣＴ装置２００は、光ファイバ干渉計２０１と、測定ヘッド２０２とを備える。光ファイバ干渉計２０１は、出射する放射光の波長を時間的に変化させる波長走査光源２０３を備える。波長走査光源２０３からの放射光は測定光と参照光とに分光される。光ファイバ干渉計２０１は、測定光と参照光との光路長差により生じる干渉光を測定に用いる測定手段である。放射光から分光された測定光は、測定ヘッド２０２に入射する。測定ヘッド２０２は、照射コリメートレンズ２０４と、ガルバノミラー２０５とｆθレンズ２０６を備えている。観察対象物で反射（又は後方散乱）した測定光は、光ファイバ干渉計２０１に入射し、参照光と合成され、干渉光となる。この場合、測定光は波長走査されているため、干渉光は光ビート信号となる。この光ビート信号は、ＯＣＴ演算部２０７で解析される。ＯＣＴ演算部２０７は干渉光の光ビート信号の時間波形をフーリエ変換して、周波数解析を行うことで、干渉光の強度分布を表すＳＳ−ＯＣＴ信号を得る。このＳＳ−ＯＣＴ信号から、観察対象物のＺ軸における位置（高さ）を測定する。
【０００５】
なお、ガルバノミラー２０５を１次元（Ｘ軸）に走査してＸＺ断面の２次元画像を取得する方法（以下Ｂスキャンと表記）と、ガルバノミラー２０５を２次元（ＸＹ軸）に走査してＸＹＺ方向の３次元画像を取得する方法（以下Ｃスキャンと表記）がある。ＣスキャンはＢスキャンの位置を少しずつ変えながら繰返し実行するため、情報量は多いが時間がかかる。
【０００６】
次に、目印シート１００およびＯＣＴ装置２００を用いた観察対象物の観察フローを図１３を用いて説明する。
【０００７】
ステップＳ１では観察対象物が開口１０１から出るように、粘着面１０２を皮膚に貼り付ける。
【０００８】
ステップＳ２ではＯＣＴ装置２００による観察位置を開口１０１に位置決めする。この際、高速なＢスキャンを用いて、開口１０１および観察対象物が表示部に表示されるように、測定ヘッド２０２の位置を調整する。ステップＳ２終了後のＯＣＴ装置２００および観察対象物の位置関係を図１４（ａ）に、表示される観察像を図１４（ｂ）に示す。
【０００９】
図１３のステップＳ３ではＣスキャンを行い、観察対象物の３次元データ取得を行い、観察を実施する。
【先行技術文献】
【特許文献】
【００１０】
【特許文献１】特開２０１１−６４５４２号公報
【発明の概要】
【発明が解決しようとする課題】
【００１１】
しかしながら、前記従来の構成では、ステップＳ２開始時の初期位置では、図１５に示すように、観察像（図１５（ｂ））からは、目印シート１００のどの部分が観察されているか把握できない。そのため、ステップＳ２の位置決めにおいて観察位置を何度も変えながら開口１０１が視野内に入るまで調整作業を繰返す必要があり、時間と手間がかかるという課題を有している。
【００１２】
本発明は、前記従来の課題を解決するもので、光学式観察装置で観察する際に、形状パターンを元に、容易に、目的の開口部を視野内におさめられる観察補助部材を提供することを目的とする。
【課題を解決するための手段】
【００１３】
本観察補助部材は、開口部と、前記開口部を中心とする同心円状の凹凸が形成された形状パターン面と、前記形状パターン面の裏面に位置する粘着面と、を備え、前記凹凸の間隔は、前記開口部の中心から遠ざかるほどに狭まる、ことを特徴とする。
【発明の効果】
【００１４】
以上のように、観察補助部材に設けた形状パターンにより、目的の開口部を容易に視野内に入れることができる。
【図面の簡単な説明】
【００１５】
【図１】実施の形態１における観察補助部材の円形シートの図
【図２】実施の形態１における観察補助部材の矩形シートの図
【図３】実施の形態１における観察補助部材の円形シートの詳細図
【図４】実施の形態１における観察補助部材の傾斜部の幅と半径の関係を表す図
【図５】実施の形態１における観察補助部材の図
【図６】実施の形態１における観察補助部材の図
【図７】実施の形態１における観察補助部材の図
【図８】実施の形態１における位置決め動作を説明するフローチャート
【図９】実施の形態１における位置決め動作のステップごとのＯＣＴ装置による観察画像を表す図
【図１０】従来の目印シートの図
【図１１】従来の目印シートの使用方法の図
【図１２】ＯＣＴ装置の構成の図
【図１３】ＯＣＴ装置および従来の目印シートを用いて観察対象物を観察する動作を説明するフローチャート
【図１４】従来のステップＳ２終了時のＯＣＴ装置および目印シートの位置関係および観察像の図
【図１５】従来のステップＳ２開始時のＯＣＴ装置および目印シートの位置関係および観察像の図
【発明を実施するための形態】
【００１６】
以下実施の形態について、図面を参照しながら説明する。
【００１７】
（実施の形態１）
図１において、観察補助部材３００は、例えばφ１０ｍｍの円形シートであり、中心部に例えばφ２ｍｍの開口部３０１が形成される。なお、本実施の形態における別の態様である観察補助部材３００ａとして、図２に示すような対角が例えば１０ｍｍの矩形シートも採用可能である。矩形シートは生産時に１枚の大型シートから切り出せる枚数が多く、一方、円形シートは初期の観察位置のばらつきの許容範囲が大きいという特徴がある。以下に図１の観察補助部材３００であるφ１０ｍｍの円形シートを説明する。
【００１８】
なお、観察補助部材３００はφ５〜４０ｍｍ程度のサイズであってもよい。光学式観察装置の一例であるＯＣＴ装置２００を用いて観察する場合、開口部３０１の形状は、観察補助部材３００の中心を見つけやすい円形が好ましい。開口部３０１のサイズは、観察対象物の一例である毛のみを通すことが求められるため、φ１〜４ｍｍ程度のサイズであってもよい。
【００１９】
観察補助部材３００は、表裏面を有するシートである。観察補助部材３００の表面には形状パターン面３０２が配され、形状パターン面３０２の裏面には粘着面３０３が配される。形状パターン面３０２には、開口部３０１を中心とする同心円状の凹凸が形成されており、開口部３０１から遠ざかるほど凹凸の幅が狭まる。この凹凸は、図１（ａ）に示すように傾斜部３０２ａとエッジ部３０２ｂとを含み、ノコギリ形状の断面となるように形成されている。図１（ｂ）は、観察補助部材３００の形状パターン面３０２を平面視したものである。図１（ｂ）中のＡＡ’断面を示したものが図１（ａ）である。なお、エッジ部３０２ｂの半径、平面視した際の傾斜部３０２ａの幅は、具体的には、下記の式（１）（２）に基づいて定められる。
【００２０】
【数１】
2015203579.tif 000003
【００２１】
【数２】
2015203579.tif 000004
【００２２】
ここで、Ｒ0は開口部３０１の半径、Ｒiは開口部３０１から数えてｉ番目のエッジ部の半径、Ｒi-1は開口部３０１から数えてｉ−１番目のエッジ部の半径、Δiは開口部３０１から数えてｉ番目の傾斜部の幅である。
【００２３】
ＯＣＴ装置２００のＢスキャンの視野は、開口部３０１内の中心に位置決めするために開口部３０１の直径（＝２Ｒ0）と同じかそれ以上の幅に観察者により設定される。この場合に、初期の観察位置が観察補助部材３００のどの断面であっても、少なくとも１つ以上のエッジ部が観察像に表示されるよう、式（１）（２）に基づく凹凸が形成されている。例えば図３において、スキャン位置Ａ、Ｂ、Ｃにおいても、エッジ部が観察像に表示される。
【００２４】
観察補助部材３００の形状パターンは、開口部３０１から遠ざかるほど凹凸の幅が狭まるように設けられている。このため、ＯＣＴ装置２００の観察像において、凹凸が広がる方向に、視野を移動させれば、開口部３０１に位置決めをすることができる。また、式（１）（２）を満たすことで、ＯＣＴ装置２００の視野内（観察像）に、複数のエッジ部を入れることが可能なため、位置決めが容易となる。
【００２５】
本実施の形態において、円形の開口部３０１の半径が１ｍｍのため、１番目のエッジ部までの半径Ｒ1≦１．４１４ｍｍとなる。つまり、１番目のエッジ部までの傾斜部の（平面視した場合の）幅は０．４１４ｍｍ以下であればよい。同様に２番目のエッジ部までの半径Ｒ2≦１．７３２ｍｍとなり、傾斜部の幅は０．３１８ｍｍ以下となる。このようにして傾斜部の幅を定めていったものが図４のグラフである。図４のグラフの縦軸は傾斜部の幅Δｉ（ｍｍ）、横軸はエッジ部半径Ｒｉ（ｍｍ）である。エッジ部半径Ｒｉが大きくなるにつれて、徐々に傾斜部の幅は減少していき、エッジ部半径Ｒｉが５ｍｍのとき傾斜部の幅Δｉが０．１ｍｍとなる。ただし、ＯＣＴ装置２００の空間分解能が０．０１ｍｍ程度であることから、傾斜部の幅およびエッジ部の高さは、それぞれ少なくとも０．１ｍｍ以上であることが望ましい。このため、観察補助部材３００を半径５ｍｍ以下のシート形状とすると、傾斜部の幅が０．１ｍｍ以上となり、ＯＣＴ装置２００で十分観察できる。
【００２６】
次に、傾斜部の断面形状について説明する。傾斜部は、観察補助部材３００の厚み方向に対して傾いていればよく、傾斜部の断面が直線であってもよいし、図５のように曲線であってもよい。図５は、観察補助部材３００の断面の他の例である。傾斜部は、観察補助部材３００に照射された光の正反射光をＯＣＴ装置２００に入射させないことで観察画像の画質の劣化を防ぐ作用を有する。傾斜部が曲線の場合、反射光の角度が位置によって異なるため測定対象が傾いても正反射光がＯＣＴ装置２００に入射しにくいという特徴がある。また、傾斜部が直線の場合は、観察像から直感的に位置調整の方向がわかりやすいという特徴がある。
【００２７】
傾斜部の傾きは同心円の中心部から遠ざかる方向に高く（正の傾き）なっても、近づく方向に高く（負の傾き）なっても良い。また、図６のように傾斜部の傾きが正負交互になってもよい。図６は、観察補助部材３００の断面の他の例である。図６では、エッジ部の先端の角度が大きくなるため外力に対して強くなり、使用者が手でつかんだ際にエッジ部が変形しにくいという特徴がある。また、各エッジ部の高さはそれぞれ同一でも良いし、図７のように同心円の外側に向かって低くなるように構成してもよい。図７は、観察補助部材３００の断面の他の例である。エッジ部の高さを同一にした方が観察補助部材３００を製造しやすい。一方、外側に向かって低くなるようにエッジ部を形成すると、同心円の周辺部分においてもエッジ部の角度が小さくなりにくいため、エッジ部が変形しにくく、観察補助部材３００の堅牢性を高められるという特徴がある。
【００２８】
次に、観察補助部材３００の形状パターン面３０２を構成する素材について説明する。光学式観察装置で観察する際の正反射光成分が少ない方がよいため、観察補助部材３００の表面は散乱面がよい。また、観察補助部材３００の表面は、形状パターン面３０２を認識しやすい半透明もしくは不透明であるほうがよく、有色であっても無色であっても良い。光学式観察装置から照射される波長としては、例えば波長１３００ｎｍ±５０ｎｍの範囲の測定光であるので、当該波長帯域に対して不透明であればよい。
【００２９】
かかる構成によれば、ＯＣＴ装置のＢスキャン時の視野が円形の開口部３０１の直径以上であれば、観察像に必ずエッジ部が表示されるため、位置決めが容易になる。
【００３０】
また、形状パターン面３０２に傾斜をつけることで、観察補助部材３００に照射された光の正反射光が光学式観察装置に入射しにくくなるため、観察画像の画質の劣化を防ぐことができる。
【００３１】
次に、観察補助部材３００を用いて観察を行うフローを図８と図９とを用いて説明する。観察には光学式観察装置の一例であるＯＣＴ装置２００を用いる。なお、ここで示すフローチャートは、従来の観察ステップＳ２（図１３）を詳細に説明したものであり、その他のステップは共通とする。以下、視野の移動には、ＯＣＴ装置２００を動かしても、観察対象物を移動させても良い。
【００３２】
ステップＳ２１は、初期位置で観察補助部材３００をＯＣＴ装置２００で観察するステップである。このときのＯＣＴ装置２００による観察像を図９右上に示す。
【００３３】
ステップＳ２２は、Ｂスキャンの走査方向と平行な方向にＯＣＴ装置２００の視野を移動するステップである。このステップでは、観察像を見ながらエッジ部の間隔が広くなる方向に移動し、最終的に凹凸パターンの断面形状が左右対称になった位置で停止する。観察補助部材３００に形成されている凹凸パターンは、中心に近づくほど幅広になるからである。このときの観察像を図９左上に示す。
【００３４】
ステップＳ２３は、Ｂスキャンの走査方向と垂直な方向にＯＣＴ装置２００の視野を移動するステップである。このステップでも、観察像を見ながらエッジ部の間隔が広くなる方向に移動し、観察対象が視野中に現れる位置で停止する。ステップＳ２３実行中の観察像を図９左下に、ステップＳ２３終了後の観察像を図９右下に示す。
【００３５】
以上が、観察補助部材３００を用いてＯＣＴ装置２００の位置決めを行うステップである。ただし、本ステップ以外にも位置決めを行う方法は複数あり、観察補助部材３００の使用方法を限定するものではない。なお、観察補助部材３００の開口部３０１を探索するアルゴリズムを、ＯＣＴ装置２００に予め記憶させておき、自動的に開口部３０１を探索させて、位置決めを実行してもよい。
【００３６】
その後、ＯＣＴ装置２００にて、観察対象の観察が実施される。
【００３７】
なお、光学式観察装置として、ＯＣＴ装置２００（図１２）のように、光干渉計を採用できる。
【００３８】
以上のように、本実施の形態によれば、観察像から見える観察補助部材上の形状パターンに基づいて、目的の開口１０１を視野内に入れる調整作業を容易かつ迅速に行うことができる。
【産業上の利用可能性】
【００３９】
本観察補助部材は、例えば、患者の体毛、毛穴、又は皮膚等の観察に適用できる。
【符号の説明】
【００４０】
２００                ＯＣＴ装置
３００                観察補助部材
３０１                開口部
３０２                形状パターン面
３０２ａ              傾斜部
３０２ｂ              エッジ部
３０３                粘着面
【図１】
2015203579.tif 000006
【図２】
2015203579.tif 000007
【図３】
2015203579.tif 000008
【図４】
2015203579.tif 000009
【図５】
2015203579.tif 000010
【図６】
2015203579.tif 000011
【図７】
2015203579.tif 000012
【図８】
2015203579.tif 000013
【図９】
2015203579.tif 000014
【図１０】
2015203579.tif 000015
【図１１】
2015203579.tif 000016
【図１２】
2015203579.tif 000017
【図１３】
2015203579.tif 000018
【図１４】
2015203579.tif 000019
【図１５】
2015203579.tif 000020